(57)【要約】【課題】石鹸が溶け難く、複数の石鹸から用途に応じて使用するものを容易に選択でき、水はけが良く、石鹸が手前に落ちない石鹸スタンドを提供する。【解決手段】略直方体等に成形された複数の石鹸２を、短辺が左右方向に沿う縦置き姿勢で、かつ左右方向に並列するように載置可能な石鹸スタンド１であって、石鹸２の下面を支持する複数の石鹸載置部３と、石鹸載置部３の左右側部に設けられ、石鹸２の左右方向の移動を規制する側部ストッパ４と、石鹸載置部３の後部に設けられ、石鹸２の後方への移動を規制する後部ストッパ５と、を備え、石鹸載置部３は、石鹸２の下面を面接触状態で支持し、かつ後方ほど低くなる傾斜を有する。また、石鹸載置面部３上の水を排出する排水口６を石鹸載置部３の後部にさらに備える。【選択図】    図７
0003227731.tif 000002
【実用新案登録請求の範囲】
【請求項１】
略直方体等に成形された複数の石鹸を、短辺が左右方向に沿う縦置き姿勢で、かつ左右方向に並列するように載置可能な石鹸スタンドであって、
石鹸の下面を支持する複数の石鹸載置部と、
前記石鹸載置部の左右側部に設けられ、石鹸の左右方向の移動を規制する側部ストッパと、
前記石鹸載置部の後部に設けられ、石鹸の後方への移動を規制する後部ストッパと、を備え、
前記石鹸載置部は、石鹸の下面を面接触状態で支持し、かつ後方ほど低くなる傾斜を有する、石鹸スタンド。
【請求項２】
前記石鹸載置面部上の水を排出する排水口を前記石鹸載置部の後部にさらに備える、請求項１に記載の石鹸スタンド。
【請求項３】
前記側部ストッパは、前記石鹸載置部の左右側部に垂直に立設され、石鹸の左右方向の移動を規制する際に石鹸の側面と面接触する、請求項１又は２に記載の石鹸スタンド。
【請求項４】
平面視において、前記側部ストッパの石鹸接触面と、前記後部ストッパの石鹸接触面とのなす角度が直角である、請求項１〜３のいずれか１項に記載の石鹸スタンド。
【考案の詳細な説明】
【技術分野】
【０００１】
本考案は、石鹸が溶け難い石鹸スタンドに関する。
【背景技術】
【０００２】
近年、石鹸として、薬用石鹸、アロマ石鹸、フェイシャル石鹸などのように、用途や特徴の異なる様々なものが開発されており、数千円程度の高価な石鹸も販売されている。このような石鹸は貴重であるため、それらを小さく切断して用いられることも見受けられる。
【０００３】
一方、従来の石鹸スタンドは、石鹸を平置きにするものが一般的であり、石鹸と載置面との接触面積が大きいため、石鹸が溶け易いという問題があった。また、様々な種類の複数の石鹸を使用する場合、それらを区別して配置し使用することが煩雑であるという問題があった。
このため、このような問題を解消できる石鹸スタンドの開発が望まれていた。
【先行技術文献】
【特許文献】
【０００４】
【特許文献１】実用新案登録第３１３２９９０号公報
【考案の概要】
【考案が解決しようとする課題】
【０００５】
そこで、本考案者は、このような従来の石鹸スタンドにおける接触面積が大きいことによる石鹸が溶けやすいことなどの課題を解消可能な石鹸スタンドを開発した。
具体的には、石鹸を縦置きに載置可能にすると共に、複数の石鹸を配置でき、さらに載置面を前方が高くなるように傾斜させてかつ後方側に排水口を備えることにより、載置面との接触面積が小さくなって石鹸が溶け難く、複数の石鹸から用途に応じて使用するものを容易に選択でき、さらに水はけが良く、石鹸が手前に落ちない石鹸スタンドを開発した。
【０００６】
ここで、上記課題の解消に関連する技術として、特許文献１には、縦棒と横棒からなる線材を組み合わせて構成され、複数の石鹸を縦置きに載置可能で水はけの良い石鹸スタンドが開示されている。
しかしながら、この石鹸スタンドは、線材で構成されているため、線材と接触する石鹸部分が溶けやすいという問題があった。また、その結果、石鹸の表面に線状の溝ができるため、石鹸の外観を低下させるという問題もあった。さらに、この石鹸スタンドでは、石鹸が手前に落ちないという効果を得ることはできなかった。
【０００７】
これに対して、本考案によれば、複数の石鹸から使用するものを選択でき、また水はけが良いのみならず、これらに加えて、石鹸が溶け難く、石鹸が手前に落ちないという有利な効果を得ることができる。また、石鹸の表面に線状の溝はできず、石鹸の外観を低下させることもない。
【０００８】
本考案は、上記事情に鑑みてなされたものであり、石鹸が溶け難く、複数の石鹸から用途に応じて使用するものを容易に選択でき、水はけが良く、石鹸が手前に落ちない石鹸スタンドの提供を目的とする。
【課題を解決するための手段】
【０００９】
上記目的を達成するため、本考案は、略直方体等に成形された複数の石鹸を、短辺が左右方向に沿う縦置き姿勢で、かつ左右方向に並列するように載置可能な石鹸スタンドであって、石鹸の下面を支持する複数の石鹸載置部と、前記石鹸載置部の左右側部に設けられ、石鹸の左右方向の移動を規制する側部ストッパと、前記石鹸載置部の後部に設けられ、石鹸の後方への移動を規制する後部ストッパとを備え、前記石鹸載置部は、石鹸の下面を面接触状態で支持し、かつ後方ほど低くなる傾斜を有する構成としてある。
【００１０】
また、本考案は、前記石鹸載置面部上の水を排出する排水口を前記石鹸載置部の後部に備える構成とすることが好ましい。
また、本考案は、前記側部ストッパが、前記石鹸載置部の左右側部に垂直に立設され、石鹸の左右方向の移動を規制する際に石鹸の側面と面接触する構成とすることが好ましい。
また、本考案は、平面視において、前記側部ストッパの石鹸接触面と、前記後部ストッパの石鹸接触面とのなす角度が直角である構成とすることが好ましい。
【考案の効果】
【００１１】
本考案によれば、石鹸が溶け難く、複数の石鹸から用途に応じて使用するものを容易に選択でき、水はけが良く、石鹸が手前に落ちない石鹸スタンドの提供が可能となる。
【図面の簡単な説明】
【００１２】
【図１】本考案の一実施形態に係る石鹸スタンドの斜視図である。
【図２】本考案の一実施形態に係る石鹸スタンドの正面図である。
【図３】本考案の一実施形態に係る石鹸スタンドの平面図である。
【図４】本考案の一実施形態に係る石鹸スタンドの側面図である。
【図５】本考案の一実施形態に係る石鹸スタンドの背面図である。
【図６】本考案の一実施形態に係る石鹸スタンドの下面図である。
【図７】本考案の一実施形態に係る石鹸スタンドの使用状態を示す前方斜視図である。
【図８】本考案の一実施形態に係る石鹸スタンドの使用状態を示す後方斜視図である。
【考案を実施するための形態】
【００１３】
以下、本考案の石鹸スタンドの実施形態について詳細に説明する。ただし、本考案は、以下の実施形態の具体的な内容に限定されるものではない。
【００１４】
図１〜図８に示すように、本考案の一実施形態に係る石鹸スタンド１は、略直方体等に成形された複数（本実施形態では３つ）の石鹸２を、短辺２ａが左右方向に沿う縦置き姿勢で、かつ左右方向に並列するように載置可能に構成されている。なお、石鹸スタンド１を形成する材料は、樹脂、陶磁器、金属など任意であり、特に限定されない。
【００１５】
石鹸スタンド１に載置される石鹸２としては、薬用石鹸、アロマ石鹸、フェイシャル石鹸など、その用途や特徴は任意であるが、面部や角部が丸みを帯びておらず、面部が平坦で、かつ角部が直角に成形された石鹸２も含まれる。このような石鹸２を載置する場合、可及的に面部の平坦度を維持し、かつ角部の潰れを抑制できれば望しい。
【００１６】
石鹸スタンド１は、石鹸の下面を支持する複数の石鹸載置部３と、石鹸載置部３の左右側部に設けられ、石鹸２の左右方向の移動を規制する側部ストッパ４と、石鹸載置部３の後部に設けられ、石鹸２の後方への移動を規制する後部ストッパ５とを備える。例えば、本実施形態の石鹸スタンド１は、３つの石鹸２を載置するために、３つの石鹸載置部３と、４との側部ストッパ４と、３つの後部ストッパ５とを備える。
なお、石鹸載置部３の個数は３つに限定されず、２つ又は４つ以上であってもよい。
【００１７】
これによって、石鹸スタンド１に石鹸２を縦置きに載置できるため、従来の平置き型の石鹸スタンドに比較して石鹸２が溶け難く、複数の石鹸２から用途に応じて使用するものを容易に選択することが可能となる。
【００１８】
石鹸載置部３は、石鹸２の下面を面接触状態で支持する。このため、石鹸スタンドを線材で構成する場合に生じるような、載置される石鹸２の下面に線状の溝ができず、また下面の平坦度が低下することが抑制される。
【００１９】
さらに、石鹸載置部３の石鹸２の下面を支持する面は、後方ほど低くなる所定角度θ１の傾斜を有する。
図１などに示す本実施形態では、石鹸スタンド１の下面の前方端部に半円柱状の支持部７を備えることによって、上記の傾斜を有する構成としているが、傾斜を有するための構成はこれに限定されず、その他の形状の支持部を用いることもできる。また、支持部７を石鹸スタンド１の下面の他の位置に配置したり、石鹸スタンド１の下面全体を傾斜させてもよい。
このような傾斜を有する構成とすることにより、石鹸載置部３に載置された石鹸２が手前側に滑って落下することが防止される。
【００２０】
また、石鹸載置部３の後部には、石鹸載置部３上の水を排出する排水口６が設けられている。これにより、石鹸載置部３上の水を、石鹸載置部３の傾斜に沿って後方に導き、排水口６から確実に排水できるので、石鹸載置部３上に溜った水で石鹸２の下面が溶けて変形することも防止できる。
【００２１】
側部ストッパ４は、石鹸載置部３の左右側部に垂直に立設されており、石鹸２の左右方向の移動を規制する際に石鹸２の側面と面接触する。このため、石鹸スタンドを線材で構成する場合に生じるような、載置される石鹸２の側面に線状の溝ができず、また側面の平坦度が低下することが抑制される。
【００２２】
また、正面視において、石鹸載置部３の石鹸接触面と、側面ストッパの石鹸接触面とのなす角度θ２が直角なので、石鹸２の下面と側面とのなす角部が潰れる可能性も低減できる。
【００２３】
後部ストッパ５は、隣接する側部ストッパ４間に支架された円柱形状を有し、石鹸２の後面と曲面で接触するが、後部ストッパ５の形状は任意であり、石鹸２の後面と平坦面で接触するようにしてもよい。
【００２４】
また、平面視において、側部ストッパ４の石鹸接触面と、後部ストッパ５の石鹸接触面とのなす角度θ３は、直角である。これにより、石鹸２の側面と後面とのなす角部が潰れる可能性を低減できる。
【００２５】
以上のように構成された本実施形態によれば、略直方体等に成形された複数の石鹸２を、短辺が左右方向に沿う縦置き姿勢で、かつ左右方向に並列するように載置可能な石鹸スタンド１であって、石鹸２の下面を支持する複数の石鹸載置部３と、石鹸載置部３の左右側部に設けられ、石鹸２の左右方向の移動を規制する側部ストッパ４と、石鹸載置部３の後部に設けられ、石鹸２の後方への移動を規制する後部ストッパ５とを備え、石鹸載置部３は、石鹸２の下面を面接触状態で支持し、かつ後方ほど低くなる傾斜を有するので、複数の石鹸２から使用するものを選択でき、石鹸載置部３に載置された石鹸２が溶け難く、また石鹸２が手前側に滑って落下することを防止できる。また、載置される石鹸２の下面に線状の溝ができたり、下面の平坦度が低下することを抑制できる。
【００２６】
また、石鹸スタンド１は、石鹸載置部３上の水を排出する排水口６を石鹸載置部３の後部に備えるので、石鹸載置部３上の水を、石鹸載置部３の傾斜に沿って後方に導き、排水口６から確実に排水することができ、その結果、石鹸載置部３上に溜った水で石鹸２の下面が溶けて変形することも防止できる。
【００２７】
また、側部ストッパ４は、石鹸載置部３の左右側部に垂直に立設され、石鹸２の左右方向の移動を規制する際に石鹸２の側面と面接触するので、石鹸２の側面に線状の溝ができたり、側面の平坦度が低下することを抑制できるだけでなく、石鹸２の下面と側面とのなす角部が潰れる可能性も低減できる。
【００２８】
また、平面視において、側部ストッパ４の石鹸接触面と、後部ストッパ５の石鹸接触面とのなす角度θ３は直角なので、石鹸２の側面と後面とのなす角部が潰れる可能性も低減できる。
【００２９】
本考案は、以上の実施形態に限定されるものではなく、本考案の範囲内において、種々の変更実施が可能であることは言うまでもない。
例えば、実施形態において側部ストッパ４は略三角柱形状であるが、その他の柱状のものとしたり、後部ストッパ５を直方体形状にするなど適宜変更することが可能である。
【符号の説明】
【００３０】
１  石鹸スタンド
２  石鹸
２ａ  短辺
３  石鹸載置部
４  側部ストッパ
５  後部ストッパ
６  排水口
７  支持部
【図１】
0003227731.tif 000003
【図２】
0003227731.tif 000004
【図３】
0003227731.tif 000005
【図４】
0003227731.tif 000006
【図５】
0003227731.tif 000007
【図６】
0003227731.tif 000008
【図７】
0003227731.tif 000009
【図８】
0003227731.tif 000010
【手続補正書】
【提出日】令和2年6月30日(2020.6.30)
【手続補正１】
【補正対象書類名】実用新案登録請求の範囲
【補正対象項目名】全文
【補正方法】変更
【補正の内容】
【実用新案登録請求の範囲】
【請求項１】
略直方体に成形された複数の石鹸を、短辺が左右方向に沿う縦置き姿勢で、かつ左右方向に並列するように載置可能な石鹸スタンドであって、
石鹸の下面を支持する複数の石鹸載置部と、
前記石鹸載置部の左右側部に設けられ、石鹸の左右方向の移動を規制する側部ストッパと、
前記石鹸載置部の後部に設けられ、石鹸の後方への移動を規制する後部ストッパと、を備え、
前記石鹸載置部は、石鹸の下面を面接触状態で支持し、かつ後方ほど低くなる傾斜を有する、石鹸スタンド。
【請求項２】
前記石鹸載置面部上の水を排出する排水口を前記石鹸載置部の後部にさらに備える、請求項１に記載の石鹸スタンド。
【請求項３】
前記側部ストッパは、前記石鹸載置部の左右側部に垂直に立設され、石鹸の左右方向の移動を規制する際に石鹸の側面と面接触する、請求項１又は２に記載の石鹸スタンド。
【請求項４】
平面視において、前記側部ストッパの石鹸接触面と、前記後部ストッパの石鹸接触面とのなす角度が直角である、請求項１〜３のいずれか１項に記載の石鹸スタンド。